【手続補正書】
【提出日】平成16年1月28日(2004.1.28)
【手続補正１】
【補正対象書類名】明細書
【補正対象項目名】発明の名称
【補正方法】変更
【補正の内容】
【発明の名称】溶融チャネルを加熱するヒータ及び同ヒータを使用した可塑性樹脂加熱方法


【手続補正２】
【補正対象書類名】明細書
【補正対象項目名】特許請求の範囲
【補正方法】変更
【補正の内容】
【特許請求の範囲】
【請求項１】
溶融チャネルを加熱するヒータであって、
使用時にノズルの外表面に配置されるシリンダ形の伝熱基体と、
前記基体のシリンダ形の外表面に設けられた第１の誘電層と、
前記第１の誘電層に設けられた伝導性インク抵抗加熱要素であって、パターン状に形成されると共に使用時に前記基体を介して前記ノズルを加熱するように構成され、該加熱要素が接触端子を有し、該接触端子が前記加熱要素への電気的接続を支持するように構成されている伝導性インク抵抗加熱要素と、
前記加熱要素の上に延びるが前記接触端子を被覆せず、よって使用時に前記加熱要素を電源に接続可能な第２の誘電層と、を含むことを特徴とするヒータ。
【請求項２】
前記加熱要素がらせん状のパターンに構成された請求項１に記載のヒータ。
【請求項３】
前記第２の誘電層が、電気的絶縁性を有する機械的保護層を含む請求項１もしくは２に記載のヒータ。
【請求項４】
前記伝導性インク抵抗加熱要素が薄膜である請求項１〜３のいずれかに記載のヒータ。
【請求項５】
前記シリンダ形の伝熱基体が、ばねのような特性を示す請求項１〜４のいずれかに記載のヒータ。
【請求項６】
前記伝導性インク抵抗加熱要素が、使用時に前記抵抗ヒータ内部の温度プロフィールをもたらすように設計された複数の異なる厚さを有する層によって実現される請求項１〜５のいずれかに記載のヒータ。
【請求項７】
前記抵抗要素が複数の隣接した膜要素を含み、該膜要素が、使用時に異なる加熱特性をもたらす異なるピッチを有する請求項１〜６のいずれかに記載のヒータ。
【請求項８】
前記誘電層に接続された膜系テクノロジーとして実現された温度検知要素をさらに含む請求項１〜７のいずれかに記載のヒータ。
【請求項９】
使用時にノズルの外表面に配置される射出成形ホットランナーノズルヒータであって、
前記ノズルの外表面に配置される誘電層と、
前記誘電層上の膜層によって実現された抵抗ヒータであって、該膜層が好ましくは前記誘電層上にパターン状に配置された伝導性インクとして実現される抵抗ヒータと、
前記抵抗ヒータ層を被覆する絶縁層と、
前記抵抗ヒータに接触すると共に前記絶縁層を介してアクセス可能な二つの電気的接触と、を含むことを特徴とするノズルヒータ。
【請求項１０】
前記ヒータが、前記二つの電気的接触の間に接続されると共に互いに接続された二つの加熱要素を含み、前記加熱要素が前記誘電層の周に沿ってパターン状に配置され、該パターンがらせん状、平面状、縞状、矢筈（やはず）状もしくは環状パターンのいずれか一つを含む請求項９に記載のノズルヒータ。
【請求項１１】
前記ノズルの前記シリンダ形の外表面に膜系の温度センサをさらに含むと共に、前記誘電層および前記絶縁層が薄膜層を含む請求項９もしくは１０に記載のノズルヒータ。
【請求項１２】
前記絶縁層が断熱層である請求項９から１１のいずれかに記載のノズルヒータ。
【請求項１３】
前記抵抗ヒータが、二つの絶縁膜層の間に挟まれている請求項９から１２のいずれかに記載のノズルヒータ。
【請求項１４】
前記誘電層に隣接した耐磨耗性を有する層をさらに含む請求項９から１２のいずれかに記載のノズルヒータ。
【請求項１５】
前記誘電層が、前記外表面の周りで位置調節可能な着脱自在のプラグに配置される請求項９から１３のいずれかに記載のノズルヒータ。
【請求項１６】
一つの表面によって画定されたチャネルを介して流れる可塑性樹脂を加熱する方法であって、
前記チャネルの周りに固定されたヒータに電気的エネルギーを供給する工程を含み、
該ヒータが請求項１〜１５に記載のいずれかに記載のヒータとして構成され、前記電気的エネルギーが前記ヒータの前記膜抵抗ヒータ要素において熱を発生させ、この熱が前記チャネル内の前記可塑性樹脂に伝わることを特徴とする方法。
【請求項１７】
射出成形ノズルであって、
シリンダ形の外表面を有する金属のノズル体と、
前記シリンダ形の外表面の上に配置された膜誘電層と、
前記誘電層の一部にパターン状に配置された膜系テクノロジーとして実現された抵抗ヒータと、
前記誘電層に配置されると共に、前記抵抗ヒータの第１の端および第２の端と各々電気的に接触する第１の電気的接触および第２の電気的接触と、
前記抵抗ヒータの上に配置された絶縁層であって、該絶縁層を介して前記第１の電気的接触と前記第２の電気的接触が接続可能である絶縁層と、を含むことを特徴とする射出成形ノズル。
【請求項１８】
前記抵抗ヒータはらせん状のパターンに配置された線形の抵抗加熱要素を含み、前記加熱要素が好ましくは複数の層を含むことを特徴とする請求項１７に記載の射出成形ノズル。
【手続補正３】
【補正対象書類名】明細書
【補正対象項目名】００１１
【補正方法】変更
【補正の内容】
【００１１】
【課題を解決するための手段】
本発明の一態様によれば、溶融チャネルを加熱するヒータが、使用時にノズルの外表面に配置されるシリンダ形の伝熱基体と、前記基体のシリンダ形の外表面に設けられた第１の誘電層と、前記第１の誘電層に設けられた伝導性インク抵抗加熱要素であって、パターン状に形成されると共に使用時に前記基体を介して前記ノズルを加熱するように構成され、該加熱要素が接触端子を有し、該接触端子が前記加熱要素への電気的接続を支持するように構成されている伝導性インク抵抗加熱要素と、前記加熱要素の上に延びるが前記接触端子を被覆せず、よって使用時に前記加熱要素を電源に接続可能な第２の誘電層と、を含む。


【手続補正４】
【補正対象書類名】明細書
【補正対象項目名】００１２
【補正方法】変更
【補正の内容】
【００１２】
本発明の他の一態様によれば、使用時にノズルの外表面に配置される射出成形ホットランナーノズルヒータが、前記ノズルの外表面に配置される誘電層と、前記誘電層上の膜層によって実現された抵抗ヒータであって、該膜層が好ましくは前記誘電層上にパターン状に配置された伝導性インクとして実現される抵抗ヒータと、前記抵抗ヒータ層を被覆する絶縁層と、前記抵抗ヒータに接触すると共に前記絶縁層を介してアクセス可能な二つの電気的接触と、を含む。


【手続補正５】
【補正対象書類名】明細書
【補正対象項目名】００１３
【補正方法】変更
【補正の内容】
【００１３】
本発明の更に別の一態様によれば、一つの表面によって画定されたチャネルを介して流れる可塑性樹脂を加熱する方法が、前記チャネルの周りに固定されたヒータに電気的エネルギーを供給する工程を含み、該ヒータが上述のいずれかの態様のヒータとして構成され、前記電気的エネルギーが前記ヒータの前記膜抵抗ヒータ要素において熱を発生させ、この熱が前記チャネル内の前記可塑性樹脂に伝わる。


【手続補正６】
【補正対象書類名】明細書
【補正対象項目名】００１４
【補正方法】変更
【補正の内容】
【００１４】
本発明の更に別の一態様によれば、射出成形ノズルが、シリンダ形の外表面を有する金属のノズル体と、前記シリンダ形の外表面の上に配置された膜誘電層と、前記誘電層の一部にパターン状に配置された膜系テクノロジーとして実現された抵抗ヒータと、前記誘電層に配置されると共に、前記抵抗ヒータの第１の端および第２の端と各々電気的に接触する第１の電気的接触および第２の電気的接触と、前記抵抗ヒータの上に配置された絶縁層であって、該絶縁層を介して前記第１の電気的接触と前記第２の電気的接触が接続可能である絶縁層と、を含む。


【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】